(57)【要約】【課題】基地局圏外に携帯端末が位置する場合にも、携帯端末の電源を切らずに消費電力を小さくできる携帯端末およびその電力制御方法を提供する。【解決手段】携帯端末は、音声信号又は画像信号等を送受信するための通信制御部と、ＧＰＳ衛星からの電波を受信するためのＧＰＳ受信制御部とを備える。ステップＳ４において、基地局圏外と判断された場合には、電力制御部は、ステップＳ５に進み通信制御部への電力供給を停止し、ステップＳ６に進みＧＰＳ受信制御部への電力供給を開始する。またステップＳ９において、基地局圏内と判断された場合には、電力制御部は、ステップＳ１０に進みＧＰＳ受信制御部への電力供給を停止し、ステップＳ１１に進み通信制御部への電力供給を開始する。【選択図】        図２
2004320576.tif 000002
【特許請求の範囲】
【請求項１】
基地局からの電波を受信するための通信制御部と、
ＧＰＳ衛星からの電波を受信するためのＧＰＳ受信制御部と
を備えた携帯端末の電力制御方法であって、
前記通信制御部において基地局からの電波を受信できない場合には、前記通信制御部への電力供給を停止し前記ＧＰＳ受信制御部への電力供給を開始する第１の電力供給決定工程と、
前記ＧＰＳ受信制御部において前記ＧＰＳ衛星からの電波を受信し自己位置情報を取得する自己位置情報取得工程と、
取得された前記自己位置情報と、メモリに予め記憶されている基地局の位置情報データベースとから、自己と自己に近い位置にある所定数の基地局との離間距離をそれぞれ算出する離間距離算出工程と、
算出された前記離間距離に応じて前記通信制御部と前記ＧＰＳ受信制御部とへの電力供給を決定する第２の電力供給決定工程と
を備える携帯端末の電力制御方法。
【請求項２】
請求項１に記載の携帯端末の電力制御方法であって、
前記自己位置情報取得工程が、
前記ＧＰＳ受信制御部において前記ＧＰＳ衛星からの電波を受信できない場合には、前記ＧＰＳ受信制御部への電力供給を停止し前記通信制御部への電力供給を開始する工程
を備える携帯端末の電力制御方法。
【請求項３】
請求項１又は請求項２に記載の携帯端末の電力制御方法であって、
前記ＧＰＳ衛星からの電波は、集合アンテナを介して間接的に受信される
携帯端末の電力制御方法。
【請求項４】
請求項１乃至請求項３のいずれかに記載の携帯端末の電力制御方法であって、
前記第２の電力供給決定工程が、
メモリに予め記憶されている前記基地局の位置情報データベースに含まれる基地局の電波の有効範囲に応じて前記通信制御部への電力供給を決定する工程
を備える携帯端末の電力制御方法。
【請求項５】
請求項１乃至請求項４のいずれかに記載の携帯端末の電力制御方法であって、
前記基地局の位置情報データベースを通信回線を用いて更新する工程
をさらに備える携帯端末の電力制御方法。
【発明の詳細な説明】
【０００１】
【発明の属する技術分野】
本発明は、携帯端末の電力制御方法に関し、特に、ＧＰＳを用いて携帯電話やＰＨＳやＰＤＡ等の携帯端末の電力を制御する方法に関する。
【０００２】
【従来の技術】
従来の携帯電話又はＰＨＳ等の携帯端末においては、通信を確立するために、まず、携帯端末側から基地局に対して電波の発信を行う。基地局は、その電波を受信すると、携帯端末が基地局の電波の有効範囲内にあると認識し、その情報を移動体通信事業者に送信する。この情報が移動体通信事業者の有するデータベースに登録されることにより、通信可能状態となる。
【０００３】
しかし、携帯端末側から基地局に対して電波を発信しても基地局に届かず基地局からの応答がない状態（圏外状態）では、携帯端末の情報が移動体通信事業者のデータベースに登録されることがないので、通信可能状態とはならない。そこで従来の携帯端末は、圏外状態になると、電波の出力を大きくし基地局に対して電波の発信を定期的に繰り返す仕組みになっている。しかしそのため、消費電力が大きくなってしまうという問題点があった。
【０００４】
特許文献１には、携帯端末がＧＰＳ衛星からの電波を受信することにより自己の位置情報を取得し、メモリに予め記憶された使用制限エリア（病院等の公共施設）に自己が位置している場合には電源を切る携帯端末の電力制御方法の例が示されている。
【０００５】
【特許文献１】
特開２００１−３２０４７３号公報（第１−５項、第１−２図）
【０００６】
【発明が解決しようとする課題】
しかし、特許文献１に示された携帯端末の電力制御方法においては、携帯端末が使用制限エリアに入ると、携帯端末全体の電源が強制的に切られてしまうので、通信以外の機能も制限されてしまうという問題点があった。
【０００７】
また、ユーザが、使用制限エリアを把握し、使用制限エリアから脱した場合に携帯端末の電源を入れる必要があるという問題点があった。
【０００８】
また、特許文献１では、基地局圏外のことは考慮されていないので、基地局圏外において携帯端末の電源が切られることがないと考えられる。そのため、携帯端末が電波の出力を大きくし基地局に対する発信を定期的に行うので、消費電力が大きくなってしまうという問題点があった。
【０００９】
本発明は以上の問題点を解決するためになされたものであり、基地局圏外に携帯端末が位置する場合にも、携帯端末の電源を切らずに消費電力を小さくできる携帯端末の電力制御方法を提供することを目的とする。
【００１０】
【課題を解決するための手段】
上記の目的を達成するために、請求項１に記載の発明に係る携帯端末の電力制御方法は、基地局からの電波を受信するための通信制御部と、ＧＰＳ衛星からの電波を受信するためのＧＰＳ受信制御部とを備えた携帯端末の電力制御方法であって、前記通信制御部において基地局からの電波を受信できない場合には、前記通信制御部への電力供給を停止し前記ＧＰＳ受信制御部への電力供給を開始する第１の電力供給決定工程と、前記ＧＰＳ受信制御部において前記ＧＰＳ衛星からの電波を受信し自己位置情報を取得する自己位置情報取得工程と、取得された前記自己位置情報と、メモリに予め記憶されている基地局の位置情報データベースとから、自己と自己に近い位置にある所定数の基地局との離間距離をそれぞれ算出する離間距離算出工程と、算出された前記離間距離に応じて前記通信制御部と前記ＧＰＳ受信制御部とへの電力供給を決定する第２の電力供給決定工程とを備える。
【００１１】
【発明の実施の形態】
以下、この発明をその実施の形態を示す図面に基づいて具体的に説明する。以下の実施の形態においては、携帯電話やＰＨＳやＰＤＡ等の携帯端末と基地局との間で電波の送受信が不可能な場合（圏外状態）に、携帯端末はＧＰＳ衛星からの電波を受信し自己位置情報を取得し、取得された自己位置情報と、メモリに予め記憶されている基地局の位置情報データベースとから、自己と自己に近い位置にある所定数の基地局との離間距離をそれぞれ算出する。そして、算出された離間距離に応じて通信制御部とＧＰＳ受信制御部とへの電力供給を決定する。
【００１２】
＜実施の形態１＞
図１は、本発明の実施の形態１に係る携帯端末の電力制御方法に用いられる携帯端末１００のブロック図である。携帯端末１００は、制御部１と、メモリ２と、電力制御部３と、通信制御部４と、アンテナ５と、ＧＰＳアンテナ６と、ＧＰＳ受信制御部７と、キー操作部８と、音声処理部９と、スピーカ１０と、マイク１１と、画像処理部１２と、カメラ１３と、表示部１４とを備える。
【００１３】
制御部１は、プログラムに基づき動作するマイクロコンピュータ（マイコン）よりなり、携帯端末１００全体の制御を行う。メモリ２は、基地局の位置情報データベースを内蔵している。電力制御部３は、制御部１に内蔵され、通信制御部４及びＧＰＳ受信制御部７の電力制御を行う。通信制御部４は、通信アンテナ５を介して移動体通信事業者の基地局と電波の送受信を行うことにより、音声信号及び画像信号等の送受信を行う。ＧＰＳ受信制御部７は、ＧＰＳアンテナ６を介して受信したＧＰＳ衛星からの電波を解析する。キー操作部８は、ユーザからの指示を入力するためのものである。音声処理部９は、スピーカ１０とマイク１１とに接続され、音声信号を処理する。画像処理部１２は、カメラ１３と表示部１４とに接続され、画像信号を処理する。
【００１４】
図２は、図１の携帯端末１００を用いた電力制御方法を示すフローチャートである。このフローチャートについて、以下に説明する。
【００１５】
まずステップＳ１において、キー操作部８の電源ボタンが押される。
【００１６】
次にステップＳ２において、通信制御部４への電力供給が開始される。
【００１７】
次にステップＳ３において、基地局に対して、アンテナ５から電波が送信される。
【００１８】
次にステップＳ４において、携帯端末１００は、基地局からの応答である電波を所定の期間だけ待つ。所定の期間内に基地局からの応答である電波を受信した場合には、ステップＳ１４に進み、通信可能状態となる。
【００１９】
ステップＳ４において、所定の期間内に基地局からの応答である電波を受信しなかった場合には、ステップＳ５に進み、電力制御部３が通信制御部４への電力供給を停止する。
【００２０】
次にステップＳ６において、電力制御部３が、ＧＰＳ受信制御部７への電力供給を開始する。即ちステップＳ４〜６は、第１の電力供給工程に相当する。
【００２１】
次にステップＳ７において、携帯端末１００は、ＧＰＳ衛星からの電波を所定の期間だけ待つ。
【００２２】
ステップＳ７において、所定の期間内にＧＰＳ衛星からの電波を受信した場合には、ＧＰＳ受信制御部７は、受信した電波の解析を行うことにより自己位置情報を取得し、ステップＳ８に進む。ステップＳ８において、取得された自己位置情報と、メモリ２に予め記録されている基地局の位置情報データベースとから、自己と自己に近い位置にある所定数の基地局との離間距離をそれぞれ算出する。図３に、基地局の位置情報データベースの例を示す。この例においては、各基地局の位置とその電波の有効範囲とが対応づけられている。
【００２３】
次に、ステップＳ９において、ステップＳ８で算出された離間距離及び取得された電波の有効範囲を参照して、携帯端末１００と各基地局との電波の送受信の可否を判定する。
【００２４】
ステップＳ９において、携帯端末１００といずれかの基地局との電波の送受信が可能と判断された場合には、ステップＳ１０に進み、電力制御部３が、ＧＰＳ受信制御部７への電力供給を停止する。そしてステップＳ１１に進み、電力制御部３が、通信制御部４への電力供給を開始したのちに、ステップＳ３に戻る。即ちステップＳ９〜１１は、第２の電力供給工程に相当する。
【００２５】
ステップＳ９において、携帯端末１００と全ての基地局との電波の送受信が不可能と判断された場合には、ステップＳ７に戻る。
【００２６】
またステップＳ７において、所定の期間内にＧＰＳ衛星からの電波を受信しなかった場合には、ステップＳ１２に進み、電力制御部３が、ＧＰＳ受信制御部７への電力供給を停止する。そしてステップＳ１３に進み、電力制御部３が、通信制御部４への電力供給を開始したしたのちに、ステップＳ３に戻る。
【００２７】
以上の説明においては、図１に示されるＧＰＳアンテナ６が、ＧＰＳ衛星から電波を直接に受信する場合について説明した。しかし、建物内部等においては、ＧＰＳ衛星からの電波が届きにくい場合がある。このような場合には、建物自体に集合アンテナを配置してもよい。この集合アンテナが、ＧＰＳ衛星からの電波を受信し、変換等を行ったのちに建物内部にある携帯端末１００に対して再発信する。これにより、ＧＰＳ衛星からの電波が届きにくい建物内部等においても、携帯端末１００が自己位置情報を取得することができる。また、集合アンテナが、ＧＰＳ衛星以外の発信源から発信される他の電波についても受信し、携帯端末に対して再発信することで、自己位置情報の取得をさらに確実にすることができる。
【００２８】
また以上の説明においては、メモリ２に予め記憶されている基地局の位置情報データベースを用いる場合を説明した。この基地局の位置情報データベースは、通信回線を用いてダウンロードを行い更新してもよい。通信回線を用いてダウンロードを行うことにより、基地局の新設や移動や撤去等が発生した場合にも、速やかに基地局の位置情報データベースを更新することができる。
【００２９】
このように、本実施の形態に係る携帯端末の電力制御方法においては、携帯端末１００が基地局圏外に移動したときには、通信制御部４の電力供給を停止してＧＰＳ受信制御部７の電力供給を開始するので、電波の出力を大きくし基地局に対する発信を定期的に行うことはない。また、携帯端末１００が基地局圏内に移動したときには、ＧＰＳ受信制御部７の電力供給を停止して通信制御部４の電力供給を開始する。従って、基地局圏外に携帯端末１００が位置する場合にも、携帯端末１００全体の電源を切らずに消費電力を小さくできるという効果を有する。
【００３０】
また、ステップＳ７において所定の期間内にＧＰＳ衛星からの電波を受信しなかった場合には、ＧＰＳ受信制御部７への電力供給を停止し通信制御部４への電力供給を開始するので、ＧＰＳ衛星からの電波を受信できない場合にも、携帯端末１００が基地局圏内に移動すれば通信可能状態にできるという効果を有する。
【００３１】
また、集合アンテナを介することにより、ＧＰＳ衛星からの電波が届きにくい建物内部等においても自己位置情報を取得することができるという効果を有する。
【００３２】
また、自己と基地局との離間距離に加えて、基地局の電波の有効範囲も参照し携帯端末１００と各基地局との電波の送受信の可否を判定するので、より正確に判定を行うことができるという効果を有する。
【００３３】
さらに、通信回線を用いてダウンロードを行うことにより、速やかに基地局の位置情報データベースを更新することができるという効果を有する。
【００３４】
【発明の効果】
以上、説明したように、請求項１に記載の発明に係る携帯端末の電力制御方法は、基地局からの電波を受信するための通信制御部と、ＧＰＳ衛星からの電波を受信するためのＧＰＳ受信制御部とを備えた携帯端末の電力制御方法であって、前記通信制御部において基地局からの電波を受信できない場合には、前記通信制御部への電力供給を停止し前記ＧＰＳ受信制御部への電力供給を開始する第１の電力供給決定工程と、前記ＧＰＳ受信制御部において前記ＧＰＳ衛星からの電波を受信し自己位置情報を取得する自己位置情報取得工程と、取得された前記自己位置情報と、メモリに予め記憶されている基地局の位置情報データベースとから、自己と自己に近い位置にある所定数の基地局との離間距離をそれぞれ算出する離間距離算出工程と、算出された前記離間距離に応じて前記通信制御部と前記ＧＰＳ受信制御部とへの電力供給を決定する第２の電力供給決定工程とを備えるので、基地局圏外に携帯端末が位置する場合にも、携帯端末の電源を切らずに消費電力を小さくできる。
【図面の簡単な説明】
【図１】実施の形態１に係る携帯端末１００を示すブロック図である。
【図２】実施の形態１に係る携帯端末の電力制御方法を示すフローチャートである。
【図３】実施の形態１に係る基地局の位置情報データベースを示す図である。
【符号の説明】
１  制御部、２  メモリ、３  電力制御部、４  通信制御部、５  アンテナ、６  ＧＰＳアンテナ、７  ＧＰＳ受信制御部、８  キー操作部、９  音声処理部、１０  スピーカ、１１  マイク、１２  画像処理部、１３  カメラ、１４  表示部、１００  携帯端末。
【図１】
2004320576.tif 000003
【図２】
2004320576.tif 000004
【図３】
2004320576.tif 000005
【手続補正書】
【提出日】平成16年1月6日(2004.1.6)
【手続補正２】
【補正対象書類名】明細書
【補正対象項目名】特許請求の範囲
【補正方法】変更
【補正の内容】
【特許請求の範囲】
【請求項１】
基地局と自己との間の通信を制御する通信制御部と、
前記自己の位置を求めるための電波を受信する受信制御部と、
前記通信制御部への電力供給を制御する電力制御部とを備える携帯端末であって、
前記電力制御部は、
前記通信制御部において前記基地局と前記自己との間における通信ができない場合、前記通信制御部への電力供給を停止すると共に前記受信制御部への電力供給を開始して、前記受信制御部において前記自己の位置を求めるための電波を受信することにより自己位置情報を求め、
求められた前記自己位置情報と前記自己に備えるメモリに記憶された基地局の位置情報データベースとから、前記自己と当該自己に近い位置にある前記基地局との離間距離を算出し、
当該算出された前記離間距離に応じて前記通信制御部への電力供給を制御するように構成したことを特徴とする携帯端末。
【請求項２】
自己の位置を求めるための電波はＧＰＳ衛星等より発信される電波であり、受信制御部は前記ＧＰＳ衛星等より発信される電波を受信するＧＰＳ受信制御部であることを特徴とする請求項１に記載の携帯端末。
【請求項３】
電力制御部は、通信制御部への電力供給と共に受信制御部への電力供給も制御することを特徴とする請求項１または２に記載の携帯端末。
【請求項４】
電力制御部は、受信制御部において自己の位置を求めるための電波を受信できない場合、前記受信制御部への電力供給を停止すると共に通信制御部への電力供給を開始するように構成したことを特徴とする請求項１乃至３のいずれかに記載の携帯端末。
【請求項５】
前記自己の位置を求めるための電波はＧＰＳ衛星等より発信される電波であり、当該電波が集合アンテナを介して前記自己に受信される請求項１乃至４のいずれかに記載の携帯端末。
【請求項６】
メモリに記憶された基地局の位置情報データベースに含まれる当該基地局の電波の有効範囲に応じて、通信制御部への電力供給を制御する請求項１乃至５のいずれかに記載の携帯端末。
【請求項７】
メモリに記憶された基地局の位置情報データベースが通信回線を用いて更新されるように構成されたことを特徴とする請求項１乃至６のいずれかに記載の携帯端末。
【請求項８】
基地局と自己との間の通信を制御する通信制御部への電力供給を開始する工程と、
前記基地局と前記自己との間における通信ができない場合に、前記通信制御部への電力供給を停止すると共に前記自己の位置を求めるための電波を受信する受信制御部への電力供給を開始して、前記受信制御部において前記自己の位置を求めるための電波を受信して自己位置情報を求める工程と、
求められた前記自己位置情報と前記自己に備えるメモリに記憶された基地局の位置情報データベースとから、前記自己と当該自己に近い位置にある基地局との離間距離を算出する工程と、
当該算出された前記離間距離に応じて前記通信制御部への電力供給を制御する工程と
を含む携帯端末の電力制御方法。
【請求項９】
自己の位置を求めるための電波はＧＰＳ衛星等から発信される電波であり、受信制御部は前記ＧＰＳ衛星等より発信される電波を受信するＧＰＳ受信制御部であることを特徴とする請求項８に記載の携帯端末の電力制御方法。
【手続補正３】
【補正対象書類名】明細書
【補正対象項目名】０００１
【補正方法】変更
【補正の内容】
【０００１】
【発明の属する技術分野】
本発明は、携帯端末およびその電力制御方法に関し、特に、ＧＰＳを用いて携帯電話やＰＨＳやＰＤＡ等の携帯端末の電力を制御する方法に関する。


【手続補正４】
【補正対象書類名】明細書
【補正対象項目名】０００４
【補正方法】変更
【補正の内容】
【０００４】
特許文献１には、携帯端末がＧＰＳ衛星からの電波を受信することにより自己の位置情報を取得し、メモリに予め記憶された使用制限エリア（病院等の公共施設）に自己が位置している場合には電源を切る携帯端末およびその電力制御方法の例が示されている。


【手続補正５】
【補正対象書類名】明細書
【補正対象項目名】０００６
【補正方法】変更
【補正の内容】
【０００６】
【発明が解決しようとする課題】
しかし、特許文献１に示された携帯端末およびその電力制御方法においては、携帯端末が使用制限エリアに入ると、携帯端末全体の電源が強制的に切られてしまうので、通信以外の機能も制限されてしまうという問題点があった。


【手続補正６】
【補正対象書類名】明細書
【補正対象項目名】０００９
【補正方法】変更
【補正の内容】
【０００９】
本発明は以上の問題点を解決するためになされたものであり、基地局圏外に携帯端末が位置する場合にも、携帯端末の電源を切らずに消費電力を小さくできる携帯端末およびその電力制御方法を提供することを目的とする。


【手続補正７】
【補正対象書類名】明細書
【補正対象項目名】００１０
【補正方法】変更
【補正の内容】
【００１０】
【課題を解決するための手段】
上記の目的を達成するために、第１の発明に係る携帯端末は、基地局と自己との間の通信を制御する通信制御部と、前記自己の位置を求めるための電波を受信する受信制御部と、前記通信制御部への電力供給を制御する電力制御部とを備える携帯端末であって、前記電力制御部は、前記通信制御部において前記基地局と前記自己との間における通信ができない場合、前記通信制御部への電力供給を停止すると共に前記受信制御部への電力供給を開始して、前記受信制御部において前記自己の位置を求めるための電波を受信することにより自己位置情報を求め、求められた前記自己位置情報と前記自己に備えるメモリに記憶された基地局の位置情報データベースとから、前記自己と当該自己に近い位置にある前記基地局との離間距離を算出し、当該算出された前記離間距離に応じて前記通信制御部への電力供給を制御するように構成したことを特徴とする。
また、第２の発明に係る携帯端末の電力制御方法は、基地局と自己との間の通信を制御する通信制御部への電力供給を開始する工程と、前記基地局と前記自己との間における通信ができない場合に、前記通信制御部への電力供給を停止すると共に前記自己の位置を求めるための電波を受信する受信制御部への電力供給を開始して、前記受信制御部において前記自己の位置を求めるための電波を受信して自己位置情報を求める工程と、求められた前記自己位置情報と前記自己に備えるメモリに記憶された基地局の位置情報データベースとから、前記自己と当該自己に近い位置にある基地局との離間距離を算出する工程と、当該算出された前記離間距離に応じて前記通信制御部への電力供給を制御する工程とを含む。
【手続補正８】
【補正対象書類名】明細書
【補正対象項目名】００２９
【補正方法】変更
【補正の内容】
【００２９】
このように、本実施の形態に係る携帯端末およびその電力制御方法においては、携帯端末１００が基地局圏外に移動したときには、通信制御部４の電力供給を停止してＧＰＳ受信制御部７の電力供給を開始するので、電波の出力を大きくし基地局に対する発信を定期的に行うことはない。また、携帯端末１００が基地局圏内に移動したときには、ＧＰＳ受信制御部７の電力供給を停止して通信制御部４の電力供給を開始する。従って、基地局圏外に携帯端末１００が位置する場合にも、携帯端末１００全体の電源を切らずに消費電力を小さくできるという効果を有する。


【手続補正９】
【補正対象書類名】明細書
【補正対象項目名】００３４
【補正方法】変更
【補正の内容】
【００３４】
【発明の効果】
以上、説明したように、第１の発明に係る携帯端末は、基地局と自己との間の通信を制御する通信制御部と、前記自己の位置を求めるための電波を受信する受信制御部と、前記通信制御部への電力供給を制御する電力制御部とを備える携帯端末であって、前記電力制御部は、前記通信制御部において前記基地局と前記自己との間における通信ができない場合、前記通信制御部への電力供給を停止すると共に前記受信制御部への電力供給を開始して、前記受信制御部において前記自己の位置を求めるための電波を受信することにより自己位置情報を求め、求められた前記自己位置情報と前記自己に備えるメモリに記憶された基地局の位置情報データベースとから、前記自己と当該自己に近い位置にある前記基地局との離間距離を算出し、当該算出された前記離間距離に応じて前記通信制御部への電力供給を制御するように構成したので、基地局圏外に携帯端末が位置する場合にも、携帯端末の電源を切らずに消費電力を小さくできる。
また、第２の発明に係る携帯端末の電力制御方法は、基地局と自己との間の通信を制御する通信制御部への電力供給を開始する工程と、前記基地局と前記自己との間における通信ができない場合に、前記通信制御部への電力供給を停止すると共に前記自己の位置を求めるための電波を受信する受信制御部への電力供給を開始して、前記受信制御部において前記自己の位置を求めるための電波を受信して自己位置情報を求める工程と、求められた前記自己位置情報と前記自己に備えるメモリに記憶された基地局の位置情報データベースとから、前記自己と当該自己に近い位置にある基地局との離間距離を算出する工程と、当該算出された前記離間距離に応じて前記通信制御部への電力供給を制御する工程とを含むので、基地局圏外に携帯端末が位置する場合にも、携帯端末の電源を切らずに消費電力を小さくできる。